(57)【要約】      （修正有）【課題】耐震性、耐久性、墓地への設置性に優れた洋型墓石を提供する。【解決手段】洋型墓石１は、竿石２とこの竿石の下に配置される台石３とを一塊の石材から切り出すことによって、竿石２と台石３が切れ目無く一体化した構造になっている。このような一体化構造の洋型墓石１において、竿石２の部分は、正面から見ても側面から見ても左右対称の形状であり、その竿石２の上部から下部付近までの全体形状は、上部より下部の方が広い四角錐台の形状になっている。【選択図】図１
0003158559.tif 000002
【実用新案登録請求の範囲】
【請求項１】
竿石とこの竿石の下に配置される台石とを一塊の石材から切り出すことによって、竿石と台石が切れ目無く一体化した構造になっていること
を特徴とする洋型墓石。
【請求項２】
前記竿石は、正面から見ても側面から見ても左右対称の形状であること
を特徴とする請求項１に記載の洋型墓石。
【請求項３】
前記竿石の上部から下部付近までの全体形状は、上部より下部の方が広い四角錐台の形状であること
を特徴とする請求項１又は２に記載の洋型墓石。
【考案の詳細な説明】
【技術分野】
【０００１】
本発明は、墓地に設置される洋型墓石に関し、特に、耐震性、耐久性、墓地への設置性に優れた洋型墓石を提供するものである。
【背景技術】
【０００２】
図２は従来の洋型墓石を側面から見たときの断面図である。同図の洋型墓石１０は、オルガンのように大きく斜めに加工された竿石２０と、この竿石の下に配置される台石３０とからなり、台石３０については同図のように一段のものがあるほか、二段のように多段となっているものもある。
【０００３】
しかしながら、前記のような従来の洋型墓石１０によると、墓地への設置は、地面に置かれた台石３０の上に竿石２０を立て、立てた竿石２０とその下の台石３０とをモルタル・コーキング等で接合しているだけであるため、地震によって竿石２０が倒れ易く、耐震性がよくない。
【０００４】
また、前記のような従来の洋型墓石１０の耐震性向上を図る手段として、竿石２０と台石３０の接合部に図示しない金属棒のような鉄筋を埋め込む方法も考えられる。しかしながら、このような方法によると、金属と石では熱膨張率が異なることから、温度変化によって竿石２０と台石３０の接合部や、竿石２０あるいは台石３０そのものに亀裂が入るおそれがあり、耐久性の低下を招く原因になる。また、墓地において、重い竿石２０と台石３０に鉄筋を埋め込んで墓石を組み立てる作業は大変であり、簡単に設置することもできない。
【考案の概要】
【考案が解決しようとする課題】
【０００５】
本考案は、前記問題点を解決するためになされたものであり、その目的は、耐震性、耐久性、墓地への設置性に優れた墓石を提供することにある。
【課題を解決するための手段】
【０００６】
前記目的を達成するために、本考案は、竿石とこの竿石の下に配置される台石とを一塊の石材から切り出すことによって、竿石と台石とが切れ目無く一体化した構造になっていることを特徴とする。
【０００７】
前記本考案において、前記竿石は、正面から見ても側面から見ても左右対称の形状である構成を採用してもよい。
【０００８】
また、前記本考案において、前記竿石の上部から下部付近までの全体形状は、上部より下部の方が広い四角錐台の形状となるように構成することができる。
【０００９】
本考案において、「正面から見ても側面から見ても左右対称の形状」は、前記のように上部より下部の方が広い四角錐台のほか、同様に下部の方が広い四角錐、円錐台、円錐を含む。
【考案の効果】
【００１０】
本考案にあっては、洋型墓石の具体的構造として、竿石と台石が切れ目無く一体化した構造を採用した。このため、竿石とその下の台石とをモルタル・コーキング等で接合している従来の洋型墓石に比べ、水平方向や鉛直方向の力によって竿石と台石が分離し難いこと、及び、洋型墓石全体の重心位置が地面に近い台石の方向に下がることから、安定性があり耐震性に優れ、また、従来の洋型墓石のような鉄筋の埋め込みが無く、墓地において重い竿石と台石に鉄筋を埋め込んで墓石を組み立てる作業も不要であるので、耐久性および墓地への設置性にも優れた洋型墓石を提供できる。
【００１１】
さらに、本考案によると、前記のように正面から見ても側面から見ても左右対称の形状である竿石の採用により、洋型墓石全体の重量バランスがよくなり、更なる耐震性の向上を図れる。
【００１２】
また、本考案によると、竿石の上部から下部付近までの全体形状を前記のような四角錐台の形状とすることにより、洋型墓石全体の重心位置が更に地面に近づくことから、更なる耐震性の向上を図れる。
【図面の簡単な説明】
【００１３】
【図１】図１は本考案の実施形態である洋型墓石の説明図であり、図中（ａ）は洋型墓石の正面図、（ｂ）はその平面図、（ｃ）はその右側面図、（ｄ）は図中Ｄ−Ｄ線での洋型墓石断面図である。
【図２】図２は従来の洋型墓石を側面から見たときの断面図である。
【考案を実施するための形態】
【００１４】
以下、本考案を実施するための最良の形態について、添付した図面を参照しながら詳細に説明する。
【００１５】
図１は、本考案の実施形態である洋型墓石の説明図である。同図の本洋型墓石１は、同図（ａ）−（ｃ）に示した竿石２とこの竿石の下に配置される台石３とを一塊の石材から切り出すことによって、そのような竿石２と台石３が切れ目無く一体化した構造になっている（図１（ｄ）参照）。尚、前記一塊の石材としては、御影石や、これ以外の他の墓石材を使用することができる。
【００１６】
以上のように切れ目無く一体化された本洋型墓石１において、特に、その竿石２部分については図１（ａ）、（ｃ）のように、正面から見ても側面から見ても左右対称の形状となるように形成してある。
【００１７】
また、前記のような左右対称形状の一例として、本実施形態では、竿石２の上部から下部付近までの全体形状を、上部より下部の方が広い四角錐台の形状としている。尚、この四角錐台より下の竿石２部分は、四角錐台の底面形状を台石３部分まで垂直に平行移動で延長した形状（直方体形状）になっている。
【００１８】
竿石２部分と台石３部分との境界部４は、図１（ａ）、（ｃ）のように円弧面とする構成のほか、Ｌ字の角部のような角面とする構成を採用できるが、境界部４には応力集中が生じ易いため、円弧面の方が好ましい。
【００１９】
また、台石３については、図１（ａ）−（ｄ）のように一段とする構成のほか、二段あるいは三段のように多段の構成を採用してもよい。
【００２０】
以上説明した本実施形態の洋型墓石１は、竿石２と台石３が切れ目無く一体化した構造の採用により、水平方向や垂直方向の力で竿石２と台石３が分離し難いこと、及び、洋型墓石１全体の重心位置が地面に近い台石３の方向に下がることから、倒れ難く、安定性があり、耐震性に優れたものである。また、先に述べた従来の洋型墓石のような鉄筋の埋め込みが無く、墓地において重い竿石と台石に鉄筋を埋め込んで墓石を組み立てる作業も不要であるので、耐久性及び墓地への設置性にも優れている。
【００２１】
特に、本実施形態の洋型墓石１にあっては、正面から見ても側面から見ても左右対称の形状である竿石２の採用により、洋型墓石１全体の重量バランスが良いこと、これに加えて、竿石２の上部から下部付近までの全体形状が前述した四角錐台の形状であることにより、洋型墓石１全体の重心位置がより一層地面に近づいていることから、より一層倒れ難いものとなっている。
【００２２】
竿石２部分の全体形状については、前記のように正面から見ても側面から見ても左右対称の形状であればよく、例えば、上部より下部の方が広い四角錐、円錐台、又は円錐のような様々な立体形状を採用することができ、墓石購入者の嗜好に応じて適宜変更可能である。
【符号の説明】
【００２３】
１  洋型墓石
２  竿石
３  台石
４  竿石と台石の境界部
【図１】
0003158559.tif 000003
【図２】
0003158559.tif 000004